(57)【要約】      （修正有）【課題】  表示物を容易に変更することができ、しかも表示物の変更を繰り返しても壁面等を痛めることがない表示物固定具を提供する。【解決手段】  正面側に位置する表示物固定部５と、その表示物固定部の背面側に突設されるとともに周囲にボール掛合溝を有する軸状部６と、を有するプラグ２と、前記プラグの軸状部のボール掛合溝と掛合可能な少なくとも一つのボールを所定軸線方向位置に半径方向移動可能に保持するとともに固定手段の装着部を有する筒状部８と、その筒状部の外側に摺動可能に嵌め合わされるとともにその筒状部の半径方向外方への前記ボールの移動を内周面で規制する位置へ向けて弾性的に常時付勢されるスリーブ１０と、を有する本体３と、を具えてなる表示物用固定具１である。【選択図】図３
2006003646.tif 000002
【特許請求の範囲】
【請求項１】
正面側に位置する表示物固定部と、その表示物固定部の背面側に突設されるとともに周囲にボール掛合溝を有する軸状部と、を有するプラグと、
前記プラグの軸状部のボール掛合溝と掛合可能な少なくとも一つのボールを所定軸線方向位置に半径方向移動可能に保持するとともに固定手段の装着部を有する筒状部と、その筒状部の外側に摺動可能に嵌め合わされるとともにその筒状部の半径方向外方への前記ボールの移動を内周面で規制する位置へ向けて弾性的に常時付勢されるスリーブと、を有する本体と、
を具えてなる、表示物用固定具。
【請求項２】
前記プラグの前記表示物固定部は板状をなしており、
前記本体の前記筒状部の正面側には、板状表示物の端面と掛合する端面支持部とその板状表示物の背面と掛合する背面支持部とを持つ板状表示物ホルダが装着されている、
請求項１記載の表示物用固定具。
【請求項３】
前記プラグの前記軸状部の前記ボール掛合溝の、前記軸状部の先端寄りの壁面は、その軸状部の先端に向かうにつれてその軸状部の中心軸線から離間するように傾斜した斜面であり、
前記本体の前記スリーブの内周面は、前記弾性的付勢方向へ向かうにつれて拡径するように略円錐状をなしている、
請求項１または２記載の表示物用固定具。
【請求項４】
前記プラグの前記軸状部の先端部の外周面はその軸状部の先端に向かうにつれて縮径するように略円錐状をなしており、
前記本体の前記スリーブの内周面は前記弾性的付勢方向へ向かうにつれて拡径するように略円錐状をなしている、
請求項１から３までの何れか一項記載の表示物用固定具。
【請求項５】
前記本体の筒状部は、二箇所の軸線方向位置にそれぞれ前記ボールを保持し、正面に近い方の位置のボールが前記プラグの前記軸状部の、前記ボール掛合溝よりも先端寄りの円筒状外周面に当接するとともに、正面から遠い方の位置のボールが前記プラグの前記軸状部の、その円筒状外周面よりも先端寄りの略円錐状外周面に当接する、
請求項４記載の表示物用固定具。
【発明の詳細な説明】
【技術分野】
【０００１】
この発明は、表示板等の表示物を壁面等に容易に交換可能に固定する表示物用固定具に関するものである。
【背景技術】
【０００２】
従来、表示板等の表示物を壁面等に固定する際には、木ネジやボルト等で直接ネジ留めするのが通常であった。
【発明の開示】
【発明が解決しようとする課題】
【０００３】
しかしながらこのようにすると、表示物を交換する際に木ネジやボルト等を緩めて一旦外して表示物を置き換え、再度木ネジやボルト等を締めこまなければならず、手間がかかるとともに、何度も繰り返すと壁面等を痛めるという問題があった
【課題を解決するための手段】
【０００４】
この発明は、上記課題を有利に解決することを目的とするものであり、この発明の表示物用固定具は、正面側に位置する表示物固定部と、その表示物固定部の背面側に突設されるとともに周囲にボール掛合溝を有する軸状部と、を有するプラグと、前記プラグの軸状部のボール掛合溝と掛合可能な少なくとも一つのボールを所定軸線方向位置に半径方向移動可能に保持するとともに固定手段の装着部を有する筒状部と、その筒状部の外側に摺動可能に嵌め合わされるとともにその筒状部の半径方向外方への前記ボールの移動を内周面で規制する位置へ向けて弾性的に常時付勢されるスリーブと、を有する本体と、を具えてなるものである。
【発明の効果】
【０００５】
かかる表示物用固定具にあっては、本体の筒状部の装着部に装着した木ネジ等の固定手段で本体を壁面等に固定するとともに、プラグの表示物固定部で板状や旗状の当の表示物を固定し、そのプラグの軸状部を本体の筒状部に挿入すると、筒状部に保持されたボールとその筒状部の外側に摺動可能に嵌め合わされたスリーブとがいわゆるボールロックを構成していて、筒状部に保持されて軸状部のボール掛合溝に掛合したボールが、弾性的に常時付勢されるスリーブの内周面で筒状部の半径方向外方への移動を規制され、これにより軸状部が本体にロックされてプラグが本体に装着されひいては壁面等に固定される。そしてスリーブを弾性的付勢力に抗して移動させると、ボールがスリーブから解放されて、プラグが本体から抜けるようになる。
【０００６】
従ってこの発明の表示物用固定具によれば、例えば板状表示物を固定したプラグを本体から抜いて、代わりに旗状表示物を固定したプラグを本体に装着する等、表示物を極めて容易に変更することができ、しかも、表示物の変更を繰り返しても壁面等を痛めることがない。
【０００７】
なお、この発明の表示物用固定具においては、前記プラグの前記表示物固定部は板状をなしており、前記本体の前記筒状部の正面側には、板状表示物の端面と掛合する端面支持部とその板状表示物の背面と掛合する背面支持部とを持つ板状表示物ホルダが装着されていても良い。このようにすれば、板状表示物の角部や縁部をプラグの板状の表示物固定部と本体の板状表示物ホルダとで支持して固定することができる。
【０００８】
また、この発明の表示物用固定具においては、前記プラグの前記軸状部の前記ボール掛合溝の、前記軸状部の先端寄りの壁面が、その軸状部の先端に向かうにつれてその軸状部の中心軸線から離間するように傾斜した斜面であり、また前記本体の前記スリーブの内周面が、前記弾性的付勢方向へ向かうにつれて拡径するように略円錐状をなしていても良い。このようにすれば、本体へのプラグの装着状態で、軸状部のボール掛合溝に掛合したボールが、弾性的に付勢されたスリーブの略円錐状の内周面で半径方向内方へ押圧され、その押圧力で、ボールに掛合した、ボール掛合溝の軸状部の先端寄りの、軸状部の先端に向かうにつれて軸状部の中心軸線から離間するように傾斜した斜面である壁面がカムの作用で軸状部の先端方向へ押圧され、これによりプラグに本体方向への引込み力が働くので、本体あるいはそこに設けた板状表示物ホルダとプラグの表示物固定部との間に、その引込み力で表示物を挟持することができる。
【０００９】
さらに、この発明の表示物用固定具においては、前記プラグの前記軸状部の先端部の外周面がその軸状部の先端に向かうにつれて縮径するように略円錐状をなしており、また前記プラグの前記軸状部の先端部の外周面がその軸状部の先端に向かうにつれて縮径するように略円錐状をなしていても良い。このようにすれば、プラグの軸状部を本体の筒状部内に押し込むと、その軸状部の先端部の、軸状部の先端に向かうにつれて縮径する略円錐状の外周面が、本体の筒状部が保持するボールをその筒状部の半径方向外方へ押し出し、このときそのボールと当接したスリーブの内周面がカムの作用でスリーブを弾性的付勢力に抗して移動させ、これによりボールが十分に半径方向外方へ移動して本体内への軸状部の入り込みを許容する。そして本体内へ軸状部が入り込んだら、スリーブが弾性的付勢力によって戻りながらボールを半径方向内方へ移動させて軸状部のボール掛合溝に掛合させ、これによりプラグがロックされるので、スリーブを手や器具でわざわざ移動させなくても、表示物を固定するプラグを本体に押し込むだけで装着することができる。
【００１０】
さらに、この発明の表示物用固定具においては、前記本体の筒状部が、二箇所の軸線方向位置にそれぞれ前記ボールを保持し、正面に近い方の位置のボールが前記プラグの前記軸状部の、前記ボール掛合溝よりも先端寄りの円筒状外周面に当接するとともに、正面から遠い方の位置のボールが前記プラグの前記軸状部の、その円筒状外周面よりも先端寄りの略円錐状外周面に当接するようにしても良い。このようにすれば、プラグの軸状部を本体に完全に押し込む前に、正面に近い方の位置のボールがプラグの軸状部の、ボール掛合溝よりも先端寄りの円筒状外周面に当接するとともに、正面から遠い方の位置のボールがプラグの軸状部の、その円筒状外周面よりも先端寄りの略円錐状外周面に当接することから、その状態で一旦プラグが本体に仮保持されるので、表示物を仮配置して位置合わせ等を容易に行うことができる。
【発明を実施するための最良の形態】
【００１１】
以下に、この発明の実施の形態を実施例によって、図面に基づき詳細に説明する。ここに、図１は、この発明の表示物用固定具の一実施例を示す斜視図、図２は、その実施例の表示物用固定具の側面を下側に示すとともに断面を上側に示す半部断面図、図３は、上記実施例の表示物用固定具をプラグを外した状態で示す分解斜視図である。
【００１２】
図中符号１で示すこの実施例の表示物用固定具は、表示板等の表示物を壁面等に固定するためのもので、プラグ２と、本体３と、板状表示物ホルダ４とを具えており、ここにおけるプラグ２は、当該表示物固定具の正面側に位置する円板状の表示物固定部５と、その表示物固定部５の背面側（図２では左側）に一体に形成された雄ねじ部５ａに螺着されてその表示物固定部５の背面側に突設されるとともに周囲にボール掛合溝６ａを有する軸状部６とを有している。
【００１３】
この実施例では、プラグ２の軸状部６のボール掛合溝６ａは環状をなしており、そのボール掛合溝６ａの、軸状部６の先端寄りの壁面６ｂは、軸状部６の先端に向かうにつれて軸状部６の中心軸線から離間するように傾斜した斜面を形成するように裁頭円錐状をなしている。また、プラグ２の軸状部６の先端部は、軸状部６の先端に向かうにつれて縮径するように、壁面６ｂと逆向きの裁頭円錐状の外周面６ｃを有している。
【００１４】
また、ここにおける本体３は、プラグ２の軸状部６のボール掛合溝６ａと掛合可能な複数のボール（図では一個のみ示す）７を所定軸線方向位置に半径方向移動可能にかつ半径方向内方への抜け落ちを規制するように裁頭円錐状の半径方向孔８ａ内に保持するとともに固定手段としての木ネジ９の装着部としての中心孔８ｂを背面側中心軸線上に有する筒状部８と、その筒状部８の外側に摺動可能に嵌め合わされるとともにその筒状部８の半径方向外方へのボール７の移動を内周面１０ａで規制する位置（図２に示す位置）へ向けてスプリング１１で弾性的に常時付勢されるスリーブ１０とを有しており、この実施例では、スリーブ１０の内周面１０ａは、スプリング１１による弾性的付勢方向（図２では右方）へ向かうにつれて二段階に斜度が増加して拡径するように裁頭円錐状（いわゆるテーパ面状あるいはコーン面状）をなしている。
【００１５】
さらにこの実施例では、本体３の筒状部８は、図示しないが、スリーブ１０の内周面１０ａの上記二段階の斜度に対応する二箇所の軸線方向位置にそれぞれ周方向に等間隔に複数のボール７を保持し、正面に近い方の位置のボール７がプラグ２の軸状部６の、ボール掛合溝６ａよりも先端寄りの円筒状外周面６ｄに当接する時に、正面から遠い方の位置のボール７がプラグ２の軸状部６の、その円筒状外周面６ｄよりも先端寄りの裁頭円錐状外周面６ｃに当接するようにされている。
【００１６】
そして、ここにおける板状表示物ホルダ４は、比較的弾性的な樹脂で形成されるとともに、背面側に突設されて本体３の筒状部８の正面側（図２では右側）の嵌合部８ｃに取り外し可能に嵌着される嵌合部４ａと、図３に示すように、板状表示物１２の角部の端面と掛合する図示例では十字型の桟状の端面支持部４ｂと、その端面支持部４ｂと端面が掛合した板状表示物１１の角部の背面と掛合する図示例では円板状の背面支持部４ｃと、それらの部分４ａ〜４ｃを貫通するとともにプラグ２の軸状部６を挿通可能な内径を持つ中心孔４ｄとを有している。
【００１７】
かかる実施例の表示物用固定具１によれば、本体３の筒状部８の中心孔８ｂに装着した例えば木ネジ９で本体３を、例えば図２に示すように壁面１３に予め埋設したアンカー１４を介して壁面１３に固定するとともに、プラグ２の表示物固定部５で板状表示物１２を板状表示物ホルダ４との間に固定すべく、そのプラグ２の軸状部６を本体３の筒状部８に挿入すると、筒状部８に保持されたボール７とその筒状部８の外側に摺動可能に嵌め合わされたスリーブ１０とがいわゆるボールロックを構成していて、筒状部８に保持されて軸状部６のボール掛合溝６ａに掛合したボール７が、弾性的に常時付勢されるスリーブ１０の内周面１０ａで筒状部８の半径方向外方への移動を規制され、これにより軸状部６が本体３にロックされてプラグ２が本体３に装着されひいては板状表示物１２が壁面１３に固定される。そしてスリーブ１０を弾性的付勢力に抗して移動させると、ボール７がスリーブ１０から解放されて、プラグ２が本体３から抜けるようになる。
【００１８】
従ってこの実施例の表示物用固定具１によれば、板状表示物１２を固定したプラグ２を本体３から抜いて、代わりに図示しない旗状表示物を固定したプラグ２を本体３に装着すれ等、表示物を極めて容易に変更することができ、しかも、表示物の変更を繰り返しても壁面１３を痛めることがない。
【００１９】
また、この実施例の表示物用固定具１によれば、プラグ２の表示物固定部５は円板状をなしており、本体３の筒状部８の正面側には、板状表示物１２の角部の端面と掛合する端面支持部４ｂとその板状表示物１２の角部の背面と掛合する円板状の背面支持部４ｃとを持つ板状表示物ホルダ４が装着されているので、板状表示物１２の角部をプラグ２の板状の表示物固定部５と本体３に装着された板状表示物ホルダ４とで支持して固定することができる。なお、端面支持部４ｂをＴ字状や一本の棒状として、板状表示物１２の中間部の端面を支持するようにしても良い。
【００２０】
さらに、この実施例の表示物用固定具１によれば、プラグ２の軸状部６のボール掛合溝６ａの、軸状部６の先端寄りの壁面６ｂが、その軸状部６の先端に向かうにつれてその軸状部６の中心軸線から離間するように傾斜した裁頭円錐状の斜面であり、また本体３のスリーブ１０の内周面１０ａが、スプリング１１による弾性的付勢方向へ向かうにつれて拡径するように裁頭円錐状をなしていることから、本体２へのプラグ２の装着状態で、軸状部６のボール掛合溝６ａに掛合したボール７が、弾性的に付勢されたスリーブ１０の裁頭円錐状の内周面１０ａで半径方向内方へ押圧され、その押圧力で、ボール７に掛合した、ボール掛合溝６ａの軸状部６の先端寄りの、軸状部６の先端に向かうにつれて軸状部６の中心軸線から離間するように傾斜した壁面６ｂがカムの作用で軸状部６の先端方向へ押圧され、これによりプラグ２に本体３方向への引込み力が働くので、板状表示物１２の厚さが端面支持部４ｂの背面支持部４ｃから正面端までの高さよりも大きい場合に、本体３に設けた板状表示物ホルダ４とプラグ２の表示物固定部５との間にその引込み力で板状表示物１２を挟持することができる。
【００２１】
さらに、この実施例の表示物用固定具１によれば、プラグ２の軸状部６の先端部の外周面６ｃがその軸状部６の先端に向かうにつれて縮径するように裁頭円錐状をなしており、また本体３のスリーブ１０の内周面１０ａが、スプリング１１による弾性的付勢方向へ向かうにつれて拡径するように裁頭円錐状をなしていることから、プラグ２の軸状部６を本体３の筒状部８内に押し込むと、その軸状部６の先端部の、軸状部６の先端に向かうにつれて縮径する裁頭円錐状の外周面６ｃが、本体３の筒状部８が保持するボール７をその筒状部８の半径方向外方へ押し出し、このときそのボール７と当接したスリーブ１０の内周面１０ａがカムの作用でスリーブ１０を弾性的付勢力に抗して図２では左方へ移動させ、これによりボール７が十分に半径方向外方へ移動して本体３内への軸状部６の入り込みを許容する。そして本体３内へ軸状部６が入り込んだら、スリーブ１０が弾性的付勢力によって戻りながらボール７を半径方向内方へ移動させて軸状部６のボール掛合溝６ａに掛合させ、これによりプラグ２がロックされるので、スリーブ１０を手や器具でわざわざ移動させなくても、板状表示物１２を固定するプラグ２を、本体３に押し込むだけで装着することができる。
【００２２】
さらに、この実施例の表示物用固定具１によれば、本体３の筒状部８が、二箇所の軸線方向位置にそれぞれボール７を保持し、正面に近い方の位置のボール７がプラグ２の軸状部６の、ボール掛合溝６ａよりも先端寄りの円筒状外周面６ｄに当接する時に、正面から遠い方の位置のボール７がプラグ２の軸状部６の、その円筒状外周面６ｄよりも先端寄りの裁頭円錐状外周面６ｃに当接することから、その状態で一旦プラグ２が本体３に仮保持されるので、板状表示物１２を仮配置して位置合わせ等を容易に行うことができる。
【００２３】
図４は、上記実施例の表示物用固定具１の製造・販売時の形態をプラグを外した状態で示す分解斜視図であり、この実施例の表示物用固定具１は図示のように、製造・販売時には、板状表示物ホルダ４の周方向に隣り合う当該板状表示物ホルダ４の端面支持部４ｂの先端（半径方向外方端）同士をつなぐ円弧状のカバー４ｅを有しており、端面支持部４ｂの先端と円弧状のカバー４ｅとの連結部は薄肉に形成されていて、板状表示物１２の角部の支持に使用する部分のみ、そのカバー４ｅを切り取って端面支持部４ｂを露出させるように使用することで、後述する図５に示すように、板状表示物１２の角部の支持に使用していない部分には厚い円盤状のシンプルな外観を持たせることができる。
【００２４】
図５（ａ）〜（ｄ）は、上記実施例の表示物固定具１および、上記プラグ２の表示物固定部５に照明具２２の端部をステー２３を介して固定した上記実施例の一変形例の表示物固定具２１を使用して板状表示物１２を固定した状態を例示する正面図、平面図、下面図および側面図であり、ここで、照明具２２は長手方向に延在する斜め下方かつ斜め後ろ向きのスリット２２ａを持つスリーブの内部に光源を収容して、そのスリット２２ａを介し光源から下方の板状表示物１２のみに光を当てるものである。
【００２５】
以上、図示例に基づき説明したが、この発明は上述の例に限定されるものでなく、例えば、本体３の筒状部８が一箇所の軸線方向位置に周方向に等間隔に複数のボール７を保持しても良く、またスリーブ１０の内周面１０ａが斜度が一定の裁頭円錐状でも良く、そしてプラグ２の軸状部６のボール掛合溝６ａは、プラグ２をその中心軸線周りに回らないよう回り止めするために、筒状部８におけるボール７の周方向位置に対応してボール７毎に独立していても良い。
【産業上の利用可能性】
【００２６】
かくしてこの発明の表示物用固定具によれば、例えば板状表示物を固定したプラグを本体から抜いて、代わりに旗状表示物を固定したプラグを本体に装着すれ等、表示物を極めて容易に変更することができ、しかも、表示物の変更を繰り返しても壁面等を痛めることがない。
【図面の簡単な説明】
【００２７】
【図１】この発明の表示物用固定具の一実施例を示す斜視図である。
【図２】上記実施例の表示物用固定具の側面を下側に示すとともに断面を上側に示す半部断面図である。
【図３】上記実施例の表示物用固定具をプラグを外した状態で示す分解斜視図である。
【図４】上記実施例の表示物用固定具の製造・販売時の形態をプラグを外した状態で示す分解斜視図である。
【図５】（ａ）〜（ｄ）は、上記実施例の表示物固定具および上記実施例の一変形例の表示物固定具を使用して板状表示物を固定した状態をそれぞれ例示する正面図、平面図、下面図および側面図である。
【符号の説明】
【００２８】
１，２１  表示物用固定具
２  プラグ
３  本体
４  板状表示物ホルダ
４ａ  嵌合部
４ｂ  端面支持部
４ｃ  背面支持部
４ｄ  中心孔
４ｅ  カバー
５  表示物固定部
５ａ  雄ねじ部
６  軸状部
６ａ  ボー掛合溝
６ｂ  壁面
６ｃ  外周面
６ｄ  円筒状外周面
７  ボール
８  筒状部
８ａ  半径方向孔
８ｂ  中心孔
９  木ネジ
１０  スリーブ
１０ａ  内周面
１１  スプリング
１２  板状表示物
１３  壁面
１４  アンカー
２２  照明具
２２ａ  スリット
２３  ステー
【図１】
2006003646.tif 000003
【図２】
2006003646.tif 000004
【図３】
2006003646.tif 000005
【図４】
2006003646.tif 000006
【図５】
2006003646.tif 000007